(57)【特許請求の範囲】
【請求項１】
リール本体に回転自在に装着され釣り糸をスプールに案内するためのスピニングリールのロータであって、
前記リール本体に回転自在に装着された円筒部と、
前記円筒部の後部外周面において対向して配置され前記円筒部と間隔を隔てて前方に延びる第１及び第２ロータアームと、
前記両ロータアームの先端に揺動自在に装着された第１及び第２ベール支持部材と、前記第１ベール支持部材の先端に回転自在に装着されたラインローラと、前記第１ベール支持部材と第２ベール支持部材とを連結するベールとを有するベールアームと、
前記第２ベール支持部材に対向する位置において前記第２ロータアームに設けられた開口と、前記開口に連通する収納空間とを有する収納部と、
前記開口から前記収納空間に収納される回転バランス補正用の重りとを備え、
前記収納部の開口は、前記第２ベール支持部材に対向する位置において前記スプールの軸方向に開放している、スピニングリールのロータ。
【請求項２】
前記ベールアームは糸開放姿勢と糸案内姿勢との間で揺動自在であり、
前記第１ロータアームには前記ベールアームを前記糸開放姿勢と糸案内姿勢とに保持するとともに前記糸開放姿勢にある前記ベールアームを前記糸案内姿勢に復帰させるベール反転機構が設けられている、請求項１に記載のスピニングリールのロータ。
【請求項３】
前記第１ベール支持部材は、前記第１ロータアームの外側に揺動自在に装着され、前記第２ベール支持部材は、前記第２ロータアームの内側に揺動自在に装着されている、請求項１又は２に記載のスピニングリールのロータ。
【請求項４】
前記収納部は、前記第２ベール支持部材の揺動中心より後端側に設けられている、請求項１から３のいずれかに記載のスピニングリールのロータ。
【請求項５】
前記収納部の開口は、前記第２ベール支持部材により閉塞されている、請求項１から４のいずれかに記載のスピニングリールのロータ。
【請求項６】
前記第２ベール支持部材と前記第２ロータアームとの間に装着された取付シートをさらに備え、
前記収納部の開口は、前記取付シートにより閉塞されている、請求項１から４のいずれかに記載のスピニングリールのロータ。
【発明の詳細な説明】
【０００１】
【発明の属する技術分野】
本発明は、ロータ、特に、リール本体に回転自在に装着され釣り糸をスプールに案内するためのスピニングリールのロータに関する。
【０００２】
【従来の技術】
一般にスピニングリールのロータは、リール本体に回転自在に装着された円筒部と、円筒部の後部に対向して一体で形成された第１及び第２ロータアームとを有している。このロータアームには、釣り糸案内機構とベール反転機構とが設けられている。釣り糸案内機構は、スプールに釣り糸を案内するための機構であり、２つのロータアームの先端に糸案内姿勢と糸開放姿勢との間で揺動自在に装着されている。ベール反転機構は、糸開放姿勢にある釣り糸案内機構を糸案内姿勢に復帰させるための機構であり、第１ロータアームの内部に設けられている。
【０００３】
釣り糸案内機構は、第１ロータアームに揺動自在に設けられた第１ベール支持部材と、第２ロータアームの先端に揺動自在に設けられた第２ベール支持部材と、両ベール支持部材を連結するベールとを有している。第１ベール支持部材の先端には、釣り糸を案内するためのラインローラと、ラインローラを支持するための固定軸カバーとが装着されており、ベールの一端は固定軸カバーに、他端は第２ベール支持部材にそれぞれ固定されている。
【０００４】
このような構成のロータでは、第１ロータアームにベール反転機構が設けられているため、第１ロータアーム側が第２ロータアーム側より重くなる。また、第１ベール支持部材にはラインローラなどが装着されているため、釣り糸案内機構の重心が第１ロータアーム側に片寄り、さらに第１ロータアーム側が重くなる。このため、ロータの回転バランスを考慮して第２ロータアームに回転バランス補正用の重りを装着することがある。
【０００５】
第２ロータアームに重りを収納する場合、従来、第２ロータアームに重り収納用の空間を形成している。この重り収納用の空間は重りの脱落を防止するために、通常蓋部材により閉塞されている。蓋部材はビスなどの固定手段により第２ロータアームに着脱自在に固定される。
【０００６】
【発明が解決しようとする課題】
前記従来の構成では、第２ロータアームに回転バランス補正用の重りを収納するために収納用の空間を蓋部材により閉塞しなければならない。このため、重り収納のための部品が増加し、重り収納のための構成が複雑になる。
【０００７】
本発明の課題は、第２ロータアームに回転バランス補正用の重りを簡素な構成で脱落しないように収納できるようにすることにある。
【０００８】
【課題を解決するための手段】
発明１に係るスピニングリールのロータは、リール本体に回転自在に装着され釣り糸をスプールに案内するためのロータであって、円筒部と、第１及び第２ロータアームと、ベールアーム、収納部と、重りとを備えている。円筒部は、リール本体に回転自在に装着されている。第１及び第２ロータアームは、円筒部の後部外周面において対向して配置され円筒部と間隔を隔てて前方に延びている。ベールアームは、両ロータアームの先端に揺動自在に装着された第１及び第２ベール支持部材と、第１ベール支持部材の先端に回転自在に装着されたラインローラと、第１ベール支持部材と第２ベール支持部材とを連結するベールとを有している。収納部は、第２ベール支持部材に対向する位置において第２ロータアームに設けられた開口と、開口に連通する収納空間とを有している。重りは回転バランス補正用のものであり開口から収納空間に収納される。収納部の開口は、第２ベール支持部材に対向する位置においてスプールの軸方向に開放している。
【０００９】
このスピニングリールのロータでは、ロータが回転すると、ベールからラインローラに釣り糸が導かれスプールに釣り糸が案内されてスプールに釣り糸が巻き付けられる。このときの回転バランスを補正するために比較的軽い第２ロータアームに設けられた収納部に重りが収納される。この重り収納時に重りは開口から収納空間に収納される。この開口は第２ベール支持部材に対向する位置に配置されているので、第２ベール支持部材により少なくとも閉塞されることになり、別に蓋部材を設けることなく開口を閉塞できる。このため、回転バランス補正用の重りを簡素な構成で脱落しないように収納できる。
【００１０】
発明２に係るスピニングリールのロータは、発明１に記載のロータにおいて、ベールアームは糸開放姿勢と糸案内姿勢との間で揺動自在であり、第１ロータアームにはベールアームを糸開放姿勢と糸案内姿勢とに保持するとともに糸開放姿勢にあるベールアームを糸案内姿勢に復帰させるベール反転機構が設けられている。この場合には、第１ロータアームの基端側がさらに第２ロータアーム側に比べて重くなるが、開口及び収納空間を第２ベール支持部材に対向する位置において可及的に基端側に寄せることで回転バランスを補正できる。
【００１１】
発明３に係るスピニングリールのロータは、発明１又は２に記載のロータにおいて、第１ベール支持部材は、第１ロータアームの外側に揺動自在に装着され、第２ベール支持部材は、第２ロータアームの内側に揺動自在に装着されている。
【００１２】
発明４に係るスピニングリールのロータは、発明１から３のいずれかに記載のロータにおいて、収納部は、第２ベール支持部材の揺動中心より後端側に設けられている。この場合には、第２ロータアームに装着されるベール反転機構等の影響により第１ロータアームの基端側に重心が片寄っても、回転バランスを補正しやすい。
【００１３】
発明５に係るスピニングリールのロータは、発明１から４のいずれかに記載のロータにおいて、収納部の開口は、第２ベール支持部材により閉塞されている。この場合には、開口が第２ベール支持部材により直接閉塞されるので、回転バランス補正用の重りをより簡素な構成で収納できるようになる。
【００１４】
発明６に係るスピニングリールのロータは，発明１から４のいずれかに記載のロータにおいて、第２ベール支持部材と第２ロータアームとの間に装着された取付シートをさらに備え、収納部の開口は、取付シートにより閉塞されている。この場合には、第２ベール支持部材の取付角度や取付状態を調整するために取り付けられる取付シートで開口を閉塞しているので、第２ベール支持部材の取付方法の自由度を高くしても回転バランス補正用の重りをより簡素な構成で収納できるようになる。
【００１５】
【発明の実施の形態】
〔本発明の実施形態を説明するための参考実施形態〕
図１において、本発明の参考実施形態を採用したスピニングリールは、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００１６】
ハンドル１は、図２に示すように、Ｔ字状の把手部１ａと、先端に把手部１ａが回転自在に装着されたＬ字状のクランクアーム１ｂと、クランクアーム１ｂの基端に固定された軸部１ｃとを有している。クランクアーム１ｂは、基端側においてワンタッチで折れ曲がり可能である。軸部１ｃは、図３に示すように断面が矩形の棒状部材である。なお、ハンドル１は、図１及び図３に示す右位置と、図２に示す左位置との左右どちらの装着位置でもリール本体２に装着可能である。
【００１７】
リール本体２は、側部に開口２ｃを有するリールボディ２ａと、リールボディ２ａから斜め上前方に一体で延びるＴ字状の竿取付脚２ｂと、リールボディ２ａの開口２ｃを閉塞するための蓋体２ｄとを有している。
【００１８】
リールボディ２ａは、図２及び図３に示すように、内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００１９】
図４に示すように、リールボディ２ａの図４右側面には、筒状のボス部１７ａが形成されている。ボス部１７ａは、ハンドル軸１０（後述）の図４右端を支持する軸受１６ａを収納するためにリールボディ２ａの内方に突出して形成されている。蓋体２ｄのボス部１７ａに対向する位置には、ボス部１７ｂが形成されている。ボス部１７ｂはハンドル軸１０の図４左端を支持する軸受１６ｂを収納するためにリールボディ２ａの外方に突出して形成されている。ハンドル１が装着された側と逆側のボス部（図４ではボス部１７ａ）は、軸カバー１９により閉塞されている。ハンドル１が装着された側のボス部（図４ではボス部１７ｂ）は、孔あきカバー１９ｂにより水の侵入が防止されている。軸カバー１９及び孔あきカバー１９ｂは、図１に示すように、楕円形の部材であり、それぞれ２本のビス１９ａによりボス部に取り付けられる。なお、外方に突出していないボス部１７ａには、軸カバー１９及び孔あきカバー１９ｂを面一に装着するための楕円形の窪み１８ａが形成されている。
【００２０】
ロータ駆動機構５は、ハンドル１が回転不能に装着されたハンドル軸１０と、ハンドル軸１０とともに回転するフェースギア１１と、このフェースギア１１に噛み合うピニオンギア１２とを有している。ハンドル軸１０の両端は、軸受１６ａ，１６ｂを介してリールボディ２ａに回転自在に支持されている。ハンドル軸１０の図４右端は、軸受１６ａの外側面より内側に位置している。ハンドル軸１０の中心部には断面が矩形の貫通孔１０ａが形成されており、この貫通孔１０ａにハンドル１の軸部１ｃが回転不能に挿入される。軸部１ｃの先端面にはネジ孔１ｄが形成されており、このネジ孔１ｄに螺合する取付ネジ２０によりハンドル１がハンドル軸１０に取り付けられている。
【００２１】
ピニオンギア１２は筒状に形成されており、図３に示すように、その前部１２ａはロータ３の中心部を貫通しており、ナット１３によりロータ３と固定されている。ピニオンギア１２は、その軸方向の中間部と後端部とが、それぞれ軸受１４ａ，１４ｂを介してリール本体２に回転自在に支持されている。
【００２２】
オシレーティング機構６は、スプール４の中心部にドラグ機構６０を介して連結されたスプール軸１５を前後方向に移動させてスプール４を同方向に移動させるための機構である。オシレーティング機構６は、スプール軸１５の略直下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は、ピニオンギア１２に噛み合っている。
【００２３】
ロータ３は、図３に示すように、円筒部３０と、円筒部３０の側方に互いに対向して設けられた第１及び第２ロータアーム３１，３２と、釣り糸をスプール４に案内するためのベールアーム４４とを有している。円筒部３０と両ロータアーム３１，３２とは、たとえばアルミニウム合金製であり一体成形されている。ベールアームは、両ロータアーム３１，３２の先端に糸案内姿勢と糸開放姿勢との間で揺動自在に装着されている。
【００２４】
円筒部３０の前部には前壁３３が形成されており、前壁３３の中央部にはボス部３３ａが形成されている。ボス部３３ａの中心部には貫通孔が形成されており、この貫通孔をピニオンギアの前部１２ａ及びスプール軸１５が貫通している。前壁３３の前部にナット１３が配置されており、ナット１３の内部にスプール軸１５を回転かつ移動自在に支持する軸受３５が配置されている。
【００２５】
第１ロータアーム３１は、図１及び図５に示すように、円筒部３０の後部外周面に配置された第１接続部３１ａと、第１接続部３１ａから外方に凸に湾曲しつつ前方に延びる第１アーム部３１ｂとを有している。第１接続部３１ａは、円筒部３０の周方向に広がっており、円筒部３０と周方向に滑らかに連続して形成されている。第１アーム部３１ｂは、第１接続部３１ａと滑らかに連続して形成され円筒部３０と間隔をあけて前方に延びている。第１アーム部３１ｂの外周面はスプール軸１５の軸芯を中心とする円弧状に形成されている。この円弧の半径は前方側が大きくなっている。
【００２６】
第１ロータアーム３１の先端の外周側には、ベールアーム４４を構成する第１ベール支持部材４０が揺動自在に装着されている。第１ベール支持部材４０は、第１ロータアーム３１にねじ込まれた取付ピン３６により第１ロータアーム３１に取り付けられる。この取付ピン３６は引っかかりが少ない六角孔付きボルトからなり、その頭部に釣り糸が引っかかりにくくなっている。第１ベール支持部材４０の先端には、釣り糸をスプール４に案内するためのラインローラ４１と、ラインローラ４１を挟んで第１ベール支持部材４０に固定された固定軸カバー４７とが装着されている。ラインローラ４１は、第１ベール支持部材４０の先端に回転自在に装着されている。固定軸カバー４７は、先端がとがった変形円錐形状である。
【００２７】
第２ロータアーム３２は、円筒部３０の後部外周面に配置された第２接続部３２ａと、第２接続部３２ａから外方に凸に湾曲しつつ前方に延びる第２アーム部３２ｂとを有している。第２接続部３２ａは、円筒部３０と周方向に滑らかに連続して形成されており、円筒部３０の周方向に間隔を隔てて配置された２つの脚部３２ｃを有している。第２アーム部３２ｂは、第２接続部３２ａと滑らかに連続して形成され円筒部３０と間隔をあけて前方に延びている。第２アーム部３２ｂは、先端部から円筒部３０との接続部分に向けて２股に分岐しており、円筒部３０と２つの脚部３２ｃで接続されている。したがって内部に開口３２ｄが形成される。第２アーム部３２ｂの外周面もスプール軸１５の軸芯を中心とする円弧状に形成されている。
【００２８】
第２ロータアーム３２の先端内周側には、ベールアーム４４を構成する第２ベール支持部材４２が揺動自在に装着されている。ここで、両ベール支持部材４０，４２は、１本の揺動軸Ｍを中心に揺動自在である。そして揺動軸Ｍと第１ロータアーム３１の第１ベール支持部材取付面とが交差する点を揺動中心Ｃ１とし、揺動軸Ｍと第２ロータアーム３２の第２ベール支持部材取付面とが交差する点を揺動中心Ｃ２とすると、揺動中心Ｃ２は揺動中心Ｃ１に比較して前方側に位置している。すなわち、揺動軸Ｍは回転軸芯Ｘに対して直交しておらずたとえば５度後方に傾いている。また、各ベール支持部材４０，４２は、それらの揺動面が揺動軸Ｍに直交するように配置されている。
【００２９】
第２アーム部３２ｂの先端内周側には、図７及び図８に示すように、第２ベール支持部材４２を装着するための他の部分より薄肉の段差部５３が形成されている。段差部５３の、図７の下側には段差部５３の他の部分より厚肉の平面視台形状の突起部５４が形成されている。また、段差部５３には、第２ベール支持部材４２を装着するための貫通孔６２が形成されている。この貫通孔６２は、機械加工を容易にするために回転軸芯Ｘと直交するように形成されている。
【００３０】
段差部５３と第２ベール支持部材４２との間には、合成樹脂製の取付シート３７が介装されている。取付シート３７は、揺動軸Ｍを回転軸芯Ｘに対して５度傾けるために介装されている。取付シート３７は、段差部５３と同様な平面形状のシート部３７ａと、貫通孔６２に装着されるボス部３７ｂと、突起部５４を覆う突出部３７ｃとを有している。貫通孔６２に装着されるボス部３７ｂには装着孔３７ｄが形成されている。この装着孔３７ｄは、貫通孔６２に対して５度傾いており、これにより揺動軸Ｍが回転軸芯Ｘに対して５度傾く。装着孔３７ｄには外側から鍔付きの装着ナット６３が挿入されており、装着ナット６３には内側から装着ボルト６４がネジ止めされている。これにより第２ベール支持部材４２が第２ロータアーム３２に揺動自在に装着される。
【００３１】
第２ロータアーム３２の揺動中心の前側には、図６及び図８に示すように、重り３８が収納されている。重り３８は、第１ロータアーム３１側にベールアーム４４の重心が片寄っていることに起因する回転バランスのアンバランスを補正するために装着されている。重り３８を収納する重り収納部３９は、取付シート３７に対向して形成された開口３９ａと、開口３９ａに連通して形成された収納空間３９ｂとを有している。このように重り収納部３９を取付シート３７で閉塞することで別の閉塞部材を設ける必要がなくなり、重り３８の脱落を簡単な構成で防止できる。
【００３２】
第２ベール支持部材４２は、図６〜図８に示すように、先端が湾曲した雨滴状の部材であり、第２ロータアーム３２に全体が覆われる円盤状基部４２ｂと、円盤状基部４２ｂからスプール軸方向前方に延出する露出部４２ｃとを有している。露出部４２ｃの一部は、揺動軸Ｍよりベール４３と逆側に位置している。また、露出部４２ｃは、外側に配置された第２ロータアーム３２の先端内側部から先端に向かって外方に突出しないように外側面が形成されている。したがって外側面は突起がない滑らかな面で構成されている。このように、第２ベール支持部材４２の露出部４２ｃの外側面は先端側に向かって突出していないので、釣り糸がそこで引っかかりにくい。このため釣り糸は第２ベール支持部材４２で引っかからずにベール４３を経て第１ベール支持部材４０側に移動しやすい。また、円盤状基部４２ｂの全体が第２ロータアーム３２により覆われているので、より釣り糸が引っかかりにくくなる。さらに、延出部４２ｃの一部が反ベール４３側に位置しているのでベール４３に起因する回転バランスの乱れを補正しやすい。
【００３３】
第２ベール支持部材４２の円盤状基部４２ｂの外側面において、後部には、図８に点線で示す領域に略２２５度の範囲に、ハッチングで示した他の領域より薄肉の切欠き部４２ａが形成されている。切欠き部４２ａは、段差部５３に形成された突起部５４との間でわずかに隙間があくような深さで形成されている。切欠き部４２ａの両端には２つの当接部４２ｄ，４２ｅが形成されている。当接部４２ｄは、図７に２点鎖線で示すように第２ベール支持部材４２が糸開放姿勢に揺動したとき、段差部５３の突起部５４の壁面に当接する。この結果、第２ベール支持部材４２の糸開放姿勢での位置決めが行われる。当接部４２ｅは、図７に実線で示すように、第２ベール支持部材４２が糸案内姿勢に配置されたとき、取付シート３７の突出部３７ｃの端部に当接する。この結果、第２ベール支持部材４２の糸案内姿勢での位置決めが行われる。
【００３４】
このように構成されたロータ３では、ロータアーム３１，３２が外方に凸に湾曲して形成されているので、折れ曲がり部分がなくなり、その部分での応力集中が生じない。このため、応力が平均化されロータアームの肉厚を厚くすることなく強度を高く維持できる。したがって、ロータ３の軽量化を図りつつ強度を高く維持できる。しかも、円筒部３０と両接続部３１ａ，３２ａ及び両接続部３１ａ，３２ａと両アーム部３１ｂ，３２ｂとがそれぞれ滑らかに連続して形成されているので、それらの連続部分でも応力が集中しにくくなり、強度をより高く維持できる。さらに、第２ロータアーム３２の先端部が集合して基端部が周方向に離反して２股に分かれる構造になるので、より軽量化を図れる。また、両ロータアーム３１，３２の基端部が周方向に拡がるため、ロータアームの周方向の剛性も高くなり、強度をより高く維持できる。
【００３５】
さらに第２ベール支持部材４２の外側面が突出部の無い滑らかな面で構成されているので、釣り糸が第２ベール支持部材４２で引っかかりにくくなり、釣り糸が第２ベール支持部材４２からベール４３を経て第１ベール支持部材４０側に移動しやすくなる。
【００３６】
また、第２ロータアーム３２に重り３８を装着しているので、回転バランスも良好なものになる。さらに、その重り３８を収納する重り収納部３９の開口３９ａを取付シート３７で閉塞しているので、閉塞用の特別の部材が不要になり、重り収納部３９の構成が簡素になる。
【００３７】
固定軸カバー４７の先端部と第２ベール支持部材４２との間には線材を略Ｕ状に湾曲させた形状のベール４３が固定されている。これらの第１及び第２ベール支持部材４０，４２、ラインローラ４１、ベール４３及び固定軸カバー４７により釣り糸をスプール４に案内するベールアーム４４が構成される。
【００３８】
第１ベール支持部材４０の外周側にはカバー４５が装着されており、カバー４５の内部にはベールアーム４４を糸開放姿勢から糸案内姿勢にロータ３の回転に連動して復帰させるとともに、両姿勢でその状態を保持するベール反転機構４６が配置されている。
【００３９】
ロータ３の円筒部３０の内部にはロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００４０】
スプール４は、ロータ３の第１ロータアーム３１と第２ロータアーム３２との間に配置されており、スプール軸１５の先端にドラグ機構６０を介して装着されている。スプール４は、外周に釣り糸が巻かれる糸巻き胴部４ａと、糸巻き胴部４ａの後部に一体で形成されたスカート部４ｂと、糸巻き胴部４ａの前端に固定されたフランジ板４ｃとを有している。糸巻き胴部４ａは、ストレートな円筒状の部材であり、外周面はスプール軸１５と平行な周面で構成されている。糸巻き胴部４ａは、２つの軸受５６，５７によりスプール軸１５に回転自在に装着されている。フランジ板４ｃは、糸巻き胴部４ａの内周面にネジ止めされたスプールリングカラー５５により糸巻き胴部４ａに固定されている。
【００４１】
次に、リールの操作及び動作について説明する。
キャスティング時にはハンドル１を図４に示す左位置に装着した状態でベールアーム４４を糸開放姿勢に反転させる。これにより第１ベール支持部材４０及び第２ベール支持部材４２は揺動する。このとき、第２ベール支持部材４２において、当接部４２ｄが突出部５４の壁面に当接して第２ベール支持部材４２が糸開放姿勢で位置決めされる。この状態で釣り竿を握る手の人差し指で釣り糸を引っかけながら釣り竿をキャスティングする。すると釣り糸は仕掛けの重さにより勢いよく放出される。この状態でハンドル１をたとえば左手で糸巻取方向に回転させると、ロータ駆動機構５によりロータ３が糸巻取方向に回転し、ベールアーム４４がベール反転機構４６により糸案内姿勢に復帰し釣り糸がスプール４に巻き付けられる。
【００４２】
ハンドル１を糸巻取方向に回転させるとフェースギア１１，ピニオンギア１２を介してロータ３が糸巻取方向に回転し、ベールアーム４４に案内された釣り糸がスプール４の外周に巻き付けられる。このようなときに釣り糸が弛んで誤って両ベール支持部材４０，４２の一方に絡んでも両ロータアーム３１，３２の剛性が高く維持されているので、両ロータアーム３１，３２は破損しにくい。しかも、第２ベール支持部材４２の外側面が突出のない滑らかな面で構成されているので、釣り糸が引っかかりにくくなる。また、両ロータアーム３１，３２は軽量化が図られているので、ハンドル１を回転させると軽い力で回転させることができる。
【００４３】
〔本発明の実施形態〕
本発明の一実施形態を採用したスピニングリールは、重り収納部３９を除く部分は前記参考実施形態と同様であるので省略する。
【００４４】
重り収納部３９は、図９に示すように、第２ロータアーム３２の段差部５３の基端側に設けられている。この場合には、ベール反転機構４６を第１ベール支持部材４０側に設けてロータアームの基端側が重くなることにより起因する回転のアンバランスを補正しやすい。この実施形態では、取付シート３７は、段差部５３の壁部に沿うように９０度折れ曲がった立ち上がり部３７ｄを有しており、開口３９ａは、取付シート３７の立ち上がり部３７ｄで少なくとも一部が閉塞されている。
【００４５】
なお、開口３９ａを全部閉塞するのではなく、重り３８の脱落を防止できる程度に一部を閉塞しても同様な効果が得られる。また、重り収納部３９は、開口３９ａが第２ロータアーム３２において第２ベール支持部材４２に対向する位置にあればどこに設けてもよい。
【００４６】
〔他の実施形態〕
前記実施形態では、取付シートにより開口が閉塞されていたが、取付シートが無い場合には第２ロータアーム自身で開口を閉塞するように構成してもよい。
【００４７】
【発明の効果】
本発明によれば、重り収納部の開口は第２ベール支持部材に対向する位置に配置されているので、第２ベール支持部材により少なくとも閉塞されることになり、別に蓋部材を設けることなく開口を閉塞できる。このため、回転バランス補正用の重りを簡素な構成で脱落しないように収納できる。
【図面の簡単な説明】
【図１】  本発明の一実施形態を採用したスピニングリールの右側面図。
【図２】  その背面断面図。
【図３】  その左側面断面図。
【図４】  図１のIV−IV断面図。
【図５】  第１ロータアームの平面図。
【図６】  第２ロータアームの平面図。
【図７】  第２ベール支持部材装着部分の平面断面図。
【図８】  図７のVIII−VIII断面図。
【図９】  他の実施形態の図８に相当する図。
【符号の説明】
３  ロータ
４  スプール
３０  円筒部
３１  第１ロータアーム
３２  第２ロータアーム
３７  取付シート
３８  重り
３９  重り収納部
３９ａ  開口
３９ｂ  収納空間
４０  第１ベール支持部材
４１  ラインローラ
４２  第２ベール支持部材
４４  ベールアーム
４６  ベール反転機構
【図１】
0003651743.tif 000002
【図２】
0003651743.tif 000003
【図３】
0003651743.tif 000004
【図４】
0003651743.tif 000005
【図５】
0003651743.tif 000006
【図６】
0003651743.tif 000007
【図７】
0003651743.tif 000008
【図８】
0003651743.tif 000009
【図９】
0003651743.tif 000010